(57)【要約】【課題】  複数のＩＣチップを備えていながら、確実に通信を行うことができ、また簡易な構成の非接触ＩＣ装置を提供する。【解決手段】  非接触ＩＣ装置１は、複数のＩＣチップ３０，５０と、非接触ＩＣ装置用の電波を受信するアンテナ１１と、アンテナ１１により受信された電波から信号を取得する変復調部１２と、変復調部１２により取得された信号に基づいて、複数のＩＣチップ３０，５０から当該信号を受信すべきＩＣチップを選択して当該信号を送信する分配制御部１３とを備える。【選択図】  図２
2006344043.tif 000002
【特許請求の範囲】
【請求項１】
複数のＩＣチップと、
非接触ＩＣ装置用の電波を受信するアンテナと、
前記アンテナにより受信された電波から信号を取得する信号取得手段と、
前記信号取得手段により取得された信号に基づいて、前記複数のＩＣチップから当該信号を受信すべきＩＣチップを選択して当該信号を送信する分配制御手段と、
を備える非接触ＩＣ装置。
【請求項２】
複数のＩＣチップを装着させることができる装着部と、
非接触ＩＣ装置用の電波を受信するアンテナと、
前記アンテナにより受信された電波から信号を取得する信号取得手段と、
前記信号取得手段により取得された信号に基づいて、前記装着部に装着された複数のＩＣチップのうち当該信号を受信すべきＩＣチップを選択して当該信号を送信する分配制御手段と、
を備える非接触ＩＣ装置。
【請求項３】
前記信号取得手段により取得される信号は、アナログ信号であり、
前記分配制御手段は、前記アナログ信号の波形に基づいて前記選択を行う、
ことを特徴とする請求項１又は２に記載の非接触ＩＣ装置。
【請求項４】
前記信号取得手段により取得される信号は、デジタル信号であり、
前記分配制御手段は、前記デジタル信号に基づいて前記選択を行う、
ことを特徴とする請求項１又は２に記載の非接触ＩＣ装置。
【請求項５】
複数のＩＣチップと、非接触ＩＣ装置用の電波を受信するアンテナと、を備える非接触ＩＣ装置における制御方法であって、
前記アンテナにより非接触ＩＣ装置用の電波を受信する受信ステップと、
前記受信ステップにおいて受信された電波から信号を取得する信号取得ステップと、
前記信号取得ステップにおいて取得された信号に基づいて、前記複数のＩＣチップから当該信号を受信すべきＩＣチップを選択して当該信号を送信する分配制御ステップと、
を有する制御方法。
【発明の詳細な説明】
【技術分野】
【０００１】
本発明は、非接触ＩＣ装置、及び当該非接触ＩＣ装置における制御方法に関する。
【背景技術】
【０００２】
従来から、電波によりリーダライタと通信を行う非接触ＩＣ（IntegratedCircuit）カード（日本国外ではスマートカード（SmartCard）とも言われる）が存在している（例えば、下記特許文献１参照）。非接触ＩＣカードは、例えば、電子マネー等のバリューや認証用の情報等が格納され、様々な場所で用いられている。
【特許文献１】特開２００５−１１００９号公報
【発明の開示】
【発明が解決しようとする課題】
【０００３】
非接触ＩＣカードは、搭載されたＩＣチップにより情報の格納及び処理の機能が実現される。利便性の観点から、複数の機能が一つのＩＣカード（媒体）で実現されることが期待されている。ここで、１つのＩＣチップに複数の機能（例えば、キャッシュカードの機能とクレジットカードの機能）を含ませることは、通常これらの機能を提供するものが異なり、また、ＩＣカード発行者も異なる場合もあるため（銀行とクレジット会社）、セキュリティ上問題があるとされることもある。また、そもそも機能を提供するものが採用するＩＣチップの方式が異なるため、１つのＩＣチップに複数の機能を含ませることが不可能な場合がある。
【０００４】
そこで、複数の機能を１つのＩＣカードで実現するために、１つのＩＣカードに複数のＩＣチップとＩＣチップそれぞれに対応したアンテナを搭載させることが考えられる。しかしながら、ＩＣチップそれぞれに対応した複数のアンテナを搭載させると、アンテナ間で電波の干渉が発生し通信が困難になるという問題がある。また、複数のアンテナを搭載させると、ＩＣカードの構成が複雑になるという問題もある。
【０００５】
本発明は、上記の問題点を解決するためになされたものであり、複数のＩＣチップを備えていながら、確実に通信を行うことができ、また簡易な構成の非接触ＩＣ装置及び制御方法を提供することを目的とする。
【課題を解決するための手段】
【０００６】
本発明に係る非接触ＩＣ装置は、複数のＩＣチップと、非接触ＩＣ装置用の電波を受信するアンテナと、アンテナにより受信された電波から信号を取得する信号取得手段と、信号取得手段により取得された信号に基づいて、複数のＩＣチップから当該信号を受信すべきＩＣチップを選択して当該信号を送信する分配制御手段と、を備えることを特徴とする。
【０００７】
本発明に係る非接触ＩＣ装置では、何れのＩＣチップに対する通信である場合も１つのアンテナを用いて、非接触ＩＣ装置用の電波を受信する。非接触ＩＣ装置では、受信した電波から信号を取得して、その信号に基づいて信号を受信すべきＩＣチップを選択して当該信号を送信する。従って、本発明に係る非接触ＩＣ装置によれば、複数の非接触ＩＣ装置用のアンテナを備えることによる電波の干渉を防止することができ、確実に通信を行うことができる。また、非接触ＩＣ装置において非接触ＩＣ装置用のアンテナは一つで済むので、簡易な構成の非接触ＩＣ装置を実現することができる。
【０００８】
本発明に係る非接触ＩＣ装置は、複数のＩＣチップを装着させることができる装着部と、非接触ＩＣ装置用の電波を受信するアンテナと、アンテナにより受信された電波から信号を取得する信号取得手段と、信号取得手段により取得された信号に基づいて、装着部に装着された複数のＩＣチップのうち当該信号を受信すべきＩＣチップを選択して当該信号を送信する分配制御手段と、を備えることを特徴とする。この構成によれば、複数のＩＣチップが着脱可能な構成の非接触ＩＣ装置においても、確実に通信を行うことができ、また簡易な構成を実現することができる。
【０００９】
また、信号取得手段により取得される信号は、アナログ信号であり、分配制御手段は、アナログ信号の波形に基づいて選択を行う、ことが好ましい。この構成によれば、ＩＣチップ毎にアナログ信号の方式が異なる場合等に、容易に本発明を実施することができる。
【００１０】
また、信号取得手段により取得される信号は、デジタル信号であり、分配制御手段は、デジタル信号に基づいて選択を行う、ことが好ましい。この構成によれば、ＩＣチップ毎にデジタル信号として得られるヘッダ情報の文字列等が異なる場合等に、容易に本発明を実施することができる。
【００１１】
ところで、本発明は、上記のように非接触ＩＣ装置の発明として記述できる他に、以下のように非接触ＩＣ装置における制御方法の発明としても記述することができる。これはカテゴリが異なるだけで、実質的に同一の発明であり、同様の作用及び効果を奏する。
【００１２】
本発明に係る制御方法は、複数のＩＣチップと、非接触ＩＣ装置用の電波を受信するアンテナと、を備える非接触ＩＣ装置における制御方法であって、アンテナにより非接触ＩＣ装置用の電波を受信する受信ステップと、受信ステップにおいて受信された電波から信号を取得する信号取得ステップと、信号取得ステップにおいて取得された信号に基づいて、複数のＩＣチップから当該信号を受信すべきＩＣチップを選択して当該信号を送信する分配制御ステップと、を有することを特徴とする。
【発明の効果】
【００１３】
本発明によれば、複数の非接触ＩＣ装置用のアンテナを備えることによる電波の干渉を防止することができ、確実に通信を行うことができる。また、非接触ＩＣ装置において非接触ＩＣ装置用のアンテナは一つで済むので、簡易な構成の非接触ＩＣ装置を実現することができる。
【発明を実施するための最良の形態】
【００１４】
以下、図面とともに本発明に係る非接触ＩＣ装置及び当該非接触ＩＣ装置における制御方法の好適な実施形態について詳細に説明する。なお、図面の説明においては同一要素には同一符号を付し、重複する説明を省略する。また、図面の寸法比率は、説明のものと必ずしも一致していない。
【００１５】
図１に、本実施形態に係る非接触ＩＣ装置１である携帯電話機（移動機）の外観を示す。非接触ＩＣ装置１は、携帯電話機としての機能を有している。そのため、非接触ＩＣ装置１は、図１（ａ）に示すように、携帯電話機の機能用の表示部２及び操作部３等を備えている。また、非接触ＩＣ装置１は、図１（ａ）に示す面の裏面である図１（ｂ）に示すように、移動通信用のアンテナ４を備えている。また、非接触ＩＣ装置１には、ＣＰＵ（Central Processing Unit）、メモリ及び通信モジュール等のハードウェアが内蔵されており（図示せず）、上記の構成要素と合わせて携帯電話機としての機能を実現する。
【００１６】
また、非接触ＩＣ装置１は、非接触ＩＣ装置としての機能を有している。そのため、非接触ＩＣ装置１は、図１（ｂ）に示すように、非接触ＩＣ装置としての機能を実現するものとして、非接触ＩＣ装置用の電波を送受信するアンテナ１１と２つのＩＣチップ３０，５０とを備えている。また、非接触ＩＣ装置としての機能を実現するハードウェアとして、上記の表示部２、操作部３、ＣＰＵ及びメモリ等が携帯電話機の機能用のものと共用されることがある。
【００１７】
非接触ＩＣ装置用の電波とは、非接触ＩＣカード等の非接触ＩＣ装置と非接触ＩＣ装置用リーダライタ等との間の通信に用いられる電波であり、具体的には数ｍｍ〜数十ｃｍ程度の通信距離で、周波数が数ＭＨｚ〜数ＧＨｚのものである。国際標準規格では、ＩＳＯ１４４４３等で規定されている。また、非接触ＩＣ装置用の非接触ＩＣインタフェースは、ＩＣチップの種類毎に、変調方式やプロトコル等が異なる（例えば、ＩＳＯ１４４４３に規定されるＴｙｐｅＡとＴｙｐｅＢ）。
【００１８】
非接触ＩＣ装置用のアンテナ１１は、例えば図１（ｂ）に示すように、コイル状の導線が非接触ＩＣ装置１に埋め込まれることにより実現される。アンテナ１１の設計においては、その動作態様（非接触ＩＣ装置用リーダライタ等の装置に完全に密着させなくてはならないのか、又はある程度距離が離れていても構わないのか）毎に適切な無線交信を可能とするために必要となるアンテナ配置、及び十分なアンテナ面の面積の確保を行う必要がある。このとき、ＩＣチップ３０，５０が、非接触ＩＣ装置用のアンテナ１１から得られる電磁誘導による起電力を使用する（パッシブ型ＩＣ装置）のか、非接触ＩＣ装置１自体（のバッテリー等）から供給される電力を使用する（アクティブ型ＩＣ装置）のかをも考慮する必要がある。
【００１９】
ＩＣチップ３０，５０は、図１（ｂ）に示すように、非接触ＩＣ装置１に内蔵される。また、ＩＣチップ３０，５０は、非接触ＩＣ装置１に着脱可能となっていてもよい。その場合、非接触ＩＣ装置１には、ＩＣチップ３０，５０を装着することができる装着部であるインタフェースが用意される。インタフェースとしては、例えばＵＩＭ（User Identity Module）インタフェース、ＵＳＢ（Universal Serial Bus）インタフェース、及びその他の外部機器用のインタフェース等が相当する。ＩＣチップ３０，５０側の具体的なインタフェースとしては、例えばＩＳＯ７８１６Ｐａｒｔ２で規定されている電気接点（例えば、ＲＦＵ（Reserve for Future Use）であるＣ４端子及びＣ８端子）を用いることとしてもよいし、あるいは別の位置に専用の電気接点を設けてそれを利用することとしてもよい。
【００２０】
ＩＣチップ３０，５０としては、具体的には例えばＩＣチップ３０，５０が含まれるＵＩＭ、ＳＤカード（Secure Digital memory card）、ＭＭＣ（MultiMedia Card）及びメモリスティック等が相当する。ＩＣチップ３０，５０には、それぞれ非接触ＩＣ装置としての機能が実装されている。その機能としては、例えば、入館証・社員証等の個人識別・認証の機能、交通乗車券・定期券の機能、クレジットカードの機能、及び電子マネーの機能等である。
【００２１】
アンテナ１１及びＩＣチップ３０，５０は、本実施形態のように携帯電話機に実装する場合は、携帯電話機が送受信する移動通信用基地局との無線通信への影響が極力少ない位置に配置されるのが好ましい。具体的には、アンテナ１１及びＩＣチップ３０，５０を、図１（ｂ）に示すように移動通信用のアンテナ４からできるだけ遠ざけるように配置するのがよい。また、移動通信のみでなく、Bluetooth等の無線通信装置を実装している場合は、これらの通信と相互に干渉しあうことのない位置に、アンテナ１１及びＩＣチップ３０，５０を配置するのがよい。
【００２２】
本実施形態に係る非接触ＩＣ装置１において、ＩＣチップ３０，５０は、上述したようにＩＣチップ３０，５０毎に異なる機能を有している。非接触ＩＣ装置１は、それらの機能が適切に作用するように制御するものであるが、以下の各実施形態に示すように複数の実現方法をとることができる。以下、それらの各実施形態を説明する。
【００２３】
［第１実施形態］
図２に、第１実施形態における、非接触ＩＣ装置１の非接触ＩＣ装置としての機能構成を示す。なお、非接触ＩＣ装置１の携帯電話機としての機能構成については省略する。図２に示すように、非接触ＩＣ装置１は、上述したようにアンテナ１１と２つのＩＣチップ３０，５０を備えており、それらに加えて、変復調部１２と、分配制御部１３と、２つのＩＣチップ３０，５０それぞれに対応した符号化部２１，４１と、プロトコル制御部２２，４２とを備える。また、ＩＣチップ３０，５０は、それぞれ、中央処理部３１，５１と、不揮発情報記憶部３２，５２とを備える。これらの機能的な構成要素は、例えば、上述した非接触ＩＣ装置１が備えるＣＰＵや各構成要素の機能を実現する電気回路等により実現される。
【００２４】
変復調部１２は、アンテナ１１により受信した電波をアナログ信号に復調するものである。即ち、変復調部１２は、アンテナにより受信された電波からアナログ信号を取得する信号取得手段である。変復調部１２により取得されたアナログ信号は、分配制御部１３に送信される。変復調部１２は、具体的には電子回路等により構成される。また、変復調部１２は、アナログ信号の電波への変調も行う。
【００２５】
分配制御部１３は、変復調部１２により取得されたアナログ信号に基づいて、複数のＩＣチップ３０，５０のうち当該アナログ信号を受信すべきＩＣチップを選択して、当該アナログ信号を送信する分配制御手段である。分配制御部１３は上記の選択のため、ＩＣチップ３０，５０毎の電波方式の違いによるアナログ波形のパターンに関する情報を予め保持している。分配制御部１３は、保持したアナログ波形のパターンと変復調部１２により取得されたアナログ信号の波形とを比較することにより、ＩＣチップの選択を行う。より具体的には、非接触ＩＣ装置１における処理の説明において述べる。変復調部１２により取得されたアナログ信号は、選択されたＩＣチップ３０，５０に対応する符号化部２１，４１に送信される。
【００２６】
符号化部２１，４１は、分配制御部１３から送信されたアナログ信号をデジタル信号に変換（Ａ／Ｄ変換）し、プロトコル制御部２２，４２に送信する。
【００２７】
プロトコル制御部２２，４２は、ＩＣチップ３０，５０との情報転送プロトコルの終端部分であり、符号化部２１，４１から受信したデジタル信号を対応するＩＣチップ３０，５０に送信する。
【００２８】
ＩＣチップ３０，５０の中央処理部３１，５１は、プロトコル制御部２２，４２からＩＣチップ３０，５０に送信されたデジタル信号を受信して、ＩＣチップ３０，５０に応じた機能の処理、例えば演算等を行う。また、中央処理部３１，５１には、演算のための一次記憶場所（メモリ）も含まれる。なお、上述したようにＩＣチップ３０，５０が着脱可能な構成になっている場合は、ＩＣチップ３０，５０部分への入力はこのようにデジタル信号であることが好ましい。アナログ信号を入力することとすると、例えば、ＩＣチップ３０，５０を入れ替えて使用する場合等にアナログ特性による信号のばらつきをＩＣチップ３０，５０で吸収することが難しいからである。
【００２９】
不揮発情報記憶部３２，５２は、ＩＣチップ３０，５０における不揮発メモリにおけるファイルシステムである。不揮発情報記憶部３２，５２には、ＩＣチップ３０，５０の機能に応じた情報が格納され、中央処理部３１，５１による演算の際等に適時、参照及び書込等がなされる。不揮発情報記憶部３２，５２に格納される情報としては、具体的には例えば、入館証・社員証等の個人識別・認証情報、交通乗車券・定期券の情報、クレジットカードの情報、及び電子マネーの情報等が含まれる。
【００３０】
引き続いて、以下、図３のフローチャートを用いて、本実施形態における非接触ＩＣ装置１により実行される処理（制御方法）を説明する。本処理は、非接触ＩＣ装置用リーダライタ等の装置からの電波を受信する際の処理である。
【００３１】
まず、非接触ＩＣ装置１では、アンテナ１１が非接触ＩＣ装置用の電波を受信する（Ｓ０１、受信ステップ）。電波の取得は、例えば、ユーザが非接触ＩＣ装置１を非接触ＩＣ装置用リーダライタ等の装置に近づけて、非接触ＩＣ装置１が当該装置の圏内に入りポーリングにより電波を検知した際に行われる。
【００３２】
続いて、変復調部１２が、アンテナ１１により受信した電波を変換することによりアナログ信号を取得する（Ｓ０２、信号取得ステップ）。取得されたアナログ信号は、分配制御部１３に送信される。
【００３３】
続いて、分配制御部１３が当該取得されたアナログ信号に基づいて、複数のＩＣチップ３０，５０から、当該アナログ信号を受信すべきＩＣチップを選択する（Ｓ０３、分配制御ステップ）。上記の選択は、例えば次のように行われる。具体例として、ＩＣチップ３０がＩＳＯ１４４４３に規定されるタイプＡに準拠するもの、ＩＣチップ５０がＩＳＯ１４４４３に規定されるタイプＢに準拠するものである場合を示す。
【００３４】
タイプＡとタイプＢでは、信号の変調方式が異なる。タイプＡは、ＡＳＫ（AmplitudeShift Keying）１００％であり、タイプＢは、ＡＳＫ１０％である。ＡＳＫ１００％、ＡＳＫ１０％というのは、そのデジタル信号としての理論値の“１”と“０”との差に対応したアナログ信号における電界強度の差が、“１”を示すときの電界強度の１００％、１０％にそれぞれなっていることを示す。即ち、図４に示すように、理論値の“０”に対して、タイプＡでは“１”のときの電界強度の０％の電界強度の正弦波が対応しており、タイプＢでは“１”のときの電界強度の８２％の電界強度の正弦波が対応している。なお、図４はキャリア周波数１３．５６ＭＨｚの電波の搬送波のイメージである。
【００３５】
分配制御部１３では、上記の例で言えばＩＣチップ３０，５０毎のＡＳＫの情報を予め保持しておき、当該保持した情報を参照して取得されたアナログ信号が、何れのＩＣチップ３０，５０に対応するもの（変調方式）であるかを判断する。当該判断から、上記のＩＣチップの選択を行う。
【００３６】
続いて、分配制御部１３は、選択したＩＣチップ３０，５０に対応する符号化部２１，４１にアナログ信号を送信する（Ｓ０４，分配制御ステップ）。アナログ信号を受信した符号化部２１，４１は、当該アナログ信号に対してＡ／Ｄ変換を行い、デジタル信号を得る（Ｓ０５）。符号化部２１，４１は、そのデジタル信号を、対応するプロトコル制御部２２，４２に送信する。
【００３７】
プロトコル制御部２２，４２は、当該デジタル信号に対して、ＩＣチップ３０，５０に送信する際に必要な、プロトコルに関する処理を行い、当該デジタル信号を対応するＩＣチップ３０，５０に送信する。デジタル信号を送信されたＩＣチップ３０，５０は、当該デジタル信号を受信する（Ｓ０６）。ＩＣチップ３０，５０は、自身の機能に応じて当該デジタル信号に対して演算処理等を行う。その際、ＩＣチップ３０，５０は、必要に応じて不揮発情報記憶部３２，５２に格納された情報を参照する。以上が、第１実施形態における、非接触ＩＣ装置１の構成及び非接触ＩＣ装置１における処理（制御方法）である。
【００３８】
［第２実施形態］
図５に、第２実施形態における、非接触ＩＣ装置１０１の非接触ＩＣ装置としての機能構成を示す。非接触ＩＣ装置１０１は、特に説明する箇所以外は、第１実施形態における非接触ＩＣ装置１と同様の構成である。図５に示すように、非接触ＩＣ装置１０１は、アンテナ１１と２つのＩＣチップ３０，５０を備えており、それらに加えて、変復調部１２と、符号化部６１、分配制御部６３と、２つのＩＣチップ３０，５０それぞれに対応したプロトコル制御部２２，４２とを備える。これらの機能的な構成要素は、例えば、上述した非接触ＩＣ装置１０１が備えるＣＰＵや各構成要素の機能を実現する電気回路等により実現される。
【００３９】
変復調部１２は、第１実施形態における変復調部１２と同様の機能を有する。変復調部１２により取得されたアナログ信号は、符号化部６１に送信される。
【００４０】
符号化部６１は、変復調部１２から送信されたアナログ信号をデジタル信号に変換（Ａ／Ｄ変換）し、分配制御部６３に送信する。即ち、符号化部６１は、アンテナにより受信された電波からデジタル信号を取得する信号取得手段である。なお、本実施形態における符号化部６１は、ＩＣチップ３０，５０毎に設けられるものではなく、少なくとも分配制御部６３の前に設けられるものが含まれていればよい。
【００４１】
分配制御部６３は、符号化部６１により取得されたデジタル信号に基づいて、複数のＩＣチップ３０，５０のうち当該デジタル信号を受信すべきＩＣチップを選択して、当該デジタル信号を送信する分配制御手段である。分配制御部６３では上記の選択のため、ＩＣチップ３０，５０毎のデータ方式の違いによるデジタル信号のパターンに関する情報を予め保持している。分配制御部６３は、保持したデジタル信号のパターンと符号化部６１により取得されたデジタル信号とを比較することにより、ＩＣチップの選択を行う。より具体的には、非接触ＩＣ装置１０１における処理の説明において述べる。符号化部６１により取得されたアナログ信号は、選択されたＩＣチップ３０，５０に対応するプロトコル制御部２２，４２に送信される。
【００４２】
プロトコル制御部２２，４２は、分配制御部６３から受信したデジタル信号を対応するＩＣチップ３０，５０に送信する。
【００４３】
引き続いて、以下、図６のフローチャートを用いて、本実施形態における非接触ＩＣ装置１０１により実行される処理（制御方法）を説明する。本処理は、非接触ＩＣ装置用リーダライタ等の装置からの電波を受信する際の処理である。
【００４４】
まず、非接触ＩＣ装置１０１では、第１実施形態と同様に、アンテナ１１が非接触ＩＣ装置用の電波を受信する（Ｓ１１、受信ステップ）。続いて、変復調部１２が、アンテナ１１により受信した電波を変換することにより、アナログ信号を取得する（Ｓ１２、信号取得ステップ）。取得されたアナログ信号は、符号化部６１に送信される。
【００４５】
続いて、アナログ信号を受信した符号化部６１が、当該アナログ信号に対してＡ／Ｄ変換を行い、デジタル信号を得る（Ｓ１３、信号取得ステップ）。符号化部６１は、そのデジタル信号を、分配制御部６３に送信する。
【００４６】
続いて、分配制御部６３が当該取得されたデジタル信号に基づいて、複数のＩＣチップ３０，５０から、当該デジタル信号を受信すべきＩＣチップを選択する（Ｓ１４、分配制御ステップ）。上記の選択は、例えばデジタル信号からヘッダ情報を取得し、ヘッダ情報に含まれる文字列を参照して判断することにより行うことができる。その場合、分配制御部６３には、予めＩＣチップ３０，５０の種類と文字列との対応関係を記憶させておく。また、ＩＣチップ３０，５０毎に異なる、ヘッダ情報の文字列以外の情報が用いられてもよい。
【００４７】
続いて、分配制御部６３は、選択したＩＣチップ３０，５０に対応するプロトコル制御部２２，４２にアナログ信号を送信する（Ｓ１５，分配制御ステップ）。プロトコル制御部２２，４２は、当該デジタル信号に対して、ＩＣチップ３０，５０に送信する際に必要な、プロトコルに関する処理を行い、当該デジタル信号を対応するＩＣチップ３０，５０に送信する。デジタル信号を送信されたＩＣチップ３０，５０は、当該デジタル信号を受信する（Ｓ０６）。以上が、第２実施形態における、非接触ＩＣ装置１０１の構成及び非接触ＩＣ装置１０１における処理（制御方法）である。
【００４８】
上述したように、本実施形態に係る非接触ＩＣ装置１，１０１によれば、一つの（非接触ＩＣ装置用の）アンテナ１１を備えていればよく、複数の非接触ＩＣ装置用のアンテナを備えることによる電波の干渉を防止することができ、確実に通信を行うことができる。また、アンテナ１１が一つで済むので、簡易な構成の非接触ＩＣ装置を実現することができる。
【００４９】
また、本実施形態のように非接触ＩＣ装置１，１０１を携帯電話機として構成することとすれば、携帯電話機の機能を向上させ、ユーザにとっての携帯電話機の利便性を向上させることができる。
【００５０】
また、本実施形態に係る非接触ＩＣ装置１，１０１では、複数のＩＣチップ３０，５０を利用可能とするためにユーザが何らかの操作を行うことが不要である。従って、ユーザによる操作誤りにより、非接触ＩＣ装置１，１０１が誤動作を起こすおそれがなく、確実に動作する。また、ユーザがそもそも操作不可能（身体的な事情も含み操作することが難しいなど）な場合等においても、複数のＩＣチップ３０，５０を含んだ非接触ＩＣ装置１，１０１を動作させることができる。
【００５１】
また、第１実施形態に係る非接触ＩＣ装置１のようにアナログ信号により信号を送信するＩＣチップを選択することとすれば、第１実施形態のようにＩＣチップ３０，５０毎にアナログ信号の方式が異なる場合等に、容易かつ確実に本発明を実施することができる。
【００５２】
また、第２実施形態に係る非接触ＩＣ装置１０１のようにデジタル信号により信号を送信するＩＣチップを選択することとすれば、第２実施形態のようにＩＣチップ３０，５０毎にデジタル信号として得られるヘッダ情報の文字列等が異なる場合等に、容易に本発明を実施することができる。
【００５３】
本実施形態では、非接触ＩＣ装置１，１０１を携帯電話機としたが、それ以外の態様、例えばカードにアンテナとＩＣチップとが埋め込まれた非接触ＩＣカードのようなものでもよい。その場合は、携帯性等を考慮して、非接触ＩＣカードは通常のものと同様に、アンテナからの起電力を利用するパッシブ型にするのがよい。
【００５４】
また、本実施形態では、非接触ＩＣ装置１，１０１に含まれるＩＣチップ３０，５０は２つとしたが、３つ以上のＩＣチップが含まれていてもよい。また、本実施形態では、２つのＩＣチップ３０，５０は物理的に別構成であるものとしたが、１つのデバイスに複数の回路を搭載して複数のＩＣチップ３０，５０の機能を実現するような場合でも、本発明を適用することができる。
【００５５】
また、本実施形態では、非接触ＩＣ装置１，１０１による電波の受信についてしか述べていないが、通常のＩＣカード等の非接触ＩＣ装置と同様に電波の送信も備えていることが好ましい。
【図面の簡単な説明】
【００５６】
【図１】本発明の実施形態に係る非接触ＩＣ装置である携帯電話機の外観を示す図である。
【図２】本発明の第１実施形態に係る非接触ＩＣ装置の機能ブロック図である。
【図３】本発明の第１実施形態に係る非接触ＩＣ装置における制御方法のフローチャートである。
【図４】ＩＣチップの方式毎のアナログ信号を示す図である。
【図５】本発明の第２実施形態に係る非接触ＩＣ装置の機能ブロック図である。
【図６】本発明の第２実施形態に係る非接触ＩＣ装置における制御方法のフローチャートである。
【符号の説明】
【００５７】
１，１０１…非接触ＩＣ装置、２…表示部、３…操作部、４…（移動通信用）アンテナ、１１…（非接触ＩＣ装置用）アンテナ、１２…変復調部、１３，６３…分配制御部、２１，４１，６１…符号化部、２２，４２…プロトコル制御部、３０，５０…ＩＣチップ、３１，５１…中央処理部、３２，５２…不揮発情報記憶部。
【図１】
2006344043.tif 000003
【図２】
2006344043.tif 000004
【図３】
2006344043.tif 000005
【図４】
2006344043.tif 000006
【図５】
2006344043.tif 000007
【図６】
2006344043.tif 000008